【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
通信ネットワークを介して商品販売に関する情報をサーバが提供する方法であって、
ユーザを示すユーザＩＤデータの入力を受け付けるステップと、
前記ユーザによる商品の選択と選択された前記商品に対する前記ユーザの購入可能性を示すウエイトの指定と、を受け付けるステップと、
受け付けた前記商品を示す商品ＩＤデータを、前記ユーザＩＤデータに関連付け、前記商品ＩＤデータのリストと前記ユーザＩＤデータとの組み合わせに前記ウエイトを表すウエイトデータを関連付けて、ユーザ別商品選択テーブルとして記憶するステップと、
前記ユーザ別商品選択テーブルに記憶されたウエイトデータに基づいてユーザ間の商品選択類似度を演算し、商品選択類似度テーブルとして記憶するステップと、
前記商品選択類似度テーブルに基づいて、前記ユーザに対して、前記ユーザとの商品選択類似度が所定の値以上のユーザの前記ユーザ別商品選択テーブルを送信するステップと、
を含む方法。
【請求項２】
前記商品およびウエイトの選択を受け付けるステップにおいて、前記ユーザによる、前記商品の分類を表す商品分類キーワードデータの入力を受け付け、
前記記憶するステップにおいて、当該商品分類キーワードデータを更に記憶する、請求項１に記載の方法。
【請求項３】
前記ユーザによる、他のユーザに対する自らの前記ユーザ別商品選択テーブルの開示制限データの入力を受け付けるステップを含み、
前記記憶するステップにおいて、当該開示制限データをあわせて記憶し、
前記送信するステップにおいて、当該開示制限データに基づいて送信を制限する、請求項１または請求項２に記載の方法。
【請求項４】
前記ユーザによる、選択した商品に関する評価データの入力を受け付けるステップを含み、
前記記憶するステップにおいて、当該評価データをあわせて記憶し、
前記ユーザによる要求に応じて、前記ユーザに対して当該評価データを送信するステップを含む、請求項１から請求項３のいずれかに記載の方法。
【請求項５】
前記ユーザによる要求に応じて、前記ユーザとの商品選択類似度が所定の値以上のユーザの前記ユーザ別商品選択テーブルに基づいて、商品選択ランキングを演算し、前記ユーザに対して送信するステップを含む、請求項１から請求項４のいずれかに記載の方法。
【請求項６】
前記ユーザによる要求に応じて、前記ユーザが指定したユーザとの商品選択類似度が所定の値以上のユーザの前記ユーザ別商品選択テーブルを、前記ユーザに対して送信するステップを含む、請求項１から請求項４のいずれかに記載の方法。
【請求項７】
前記ユーザによる要求に応じて、前記ユーザが指定したユーザとの商品選択類似度が所定の値以上のユーザの前記ユーザ別商品選択テーブルに基づいて、商品選択ランキングを演算し、前記ユーザに対して送信するステップを含む、請求項１から請求項４のいずれかに記載の方法。
【請求項８】
通信ネットワークを介して商品販売に関する情報を提供するサーバであって、
ユーザを示すユーザＩＤデータの入力を受け付ける手段と、
前記ユーザによる商品の選択と選択された前記商品に対する前記ユーザの購入可能性を示すウエイトの指定と、を受け付ける手段と、
受け付けた前記商品を示す商品ＩＤデータを、前記ユーザＩＤデータに関連付け、前記商品ＩＤデータのリストと前記ユーザＩＤデータとの組み合わせに前記ウエイトを表すウエイトデータを関連付けて、ユーザ別商品選択テーブルとして記憶する手段と、
前記ユーザ別商品選択テーブルに記憶されたウエイトデータに基づいてユーザ間の商品選択類似度を演算し、商品選択類似度テーブルとして記憶する手段と、
前記商品選択類似度テーブルに基づいて、前記ユーザに対して、前記ユーザとの商品選択類似度が所定の値以上のユーザの前記ユーザ別商品選択テーブルを送信する手段と、を含むサーバ。
【請求項９】
通信ネットワークを介して商品販売に関する情報の提供をサーバに実行させるプログラムであって、
ユーザを示すユーザＩＤデータの入力を受け付けさせるステップと、
前記ユーザによる商品の選択と選択された前記商品に対する前記ユーザの購入可能性を示すウエイトの指定と、を受け付ける手段と、
を受け付けさせるステップと、
受け付けた前記商品を示す商品ＩＤデータを、前記ユーザＩＤデータに関連付け、前記商品ＩＤデータのリストと前記ユーザＩＤデータとの組み合わせに前記ウエイトを表すウエイトデータを関連付けて、ユーザ別商品選択テーブルとして記憶させるステップと、
前記ユーザ別商品選択テーブルに記憶されたウエイトデータに基づいてユーザ間の商品選択類似度を演算させて、商品選択類似度テーブルとして記憶させるステップと、
前記商品選択類似度テーブルに基づいて、前記ユーザに対して、前記ユーザとの商品選択類似度が所定の値以上のユーザの前記ユーザ別商品選択テーブルを送信させるステップと、をサーバに実行させるプログラム。
【手続補正２】
【補正対象書類名】明細書
【補正対象項目名】０００９
【補正方法】変更
【補正の内容】
【０００９】
（１）  通信ネットワークを介して商品販売に関する情報をサーバが提供する方法であって、
ユーザを示すユーザＩＤデータの入力を受け付けるステップと、
前記ユーザによる商品の選択と選択された前記商品に対する前記ユーザの購入可能性を示すウエイトの指定と、を受け付けるステップと、
受け付けた前記商品を示す商品ＩＤデータを、前記ユーザＩＤデータに関連付け、前記商品ＩＤデータのリストと前記ユーザＩＤデータとの組み合わせに前記ウエイトを表すウエイトデータを関連付けて、ユーザ別商品選択テーブルとして記憶するステップと、
前記ユーザ別商品選択テーブルに記憶されたウエイトデータに基づいてユーザ間の商品選択類似度を演算し、商品選択類似度テーブルとして記憶するステップと、
前記商品選択類似度テーブルに基づいて、前記ユーザに対して、前記ユーザとの商品選択類似度が所定の値以上のユーザの前記ユーザ別商品選択テーブルを送信するステップと、を含む方法。
【手続補正３】
【補正対象書類名】明細書
【補正対象項目名】００１０
【補正方法】変更
【補正の内容】
【００１０】
（１）の発明によると、サーバは、前記商品ＩＤデータのリストと前記ユーザＩＤデータとの組み合わせに、商品に対するユーザの購入可能性を示すウエイトを関連付けて記憶するユーザ別商品選択テーブルに基づいて、商品選択の組み合わせによるユーザ間の商品選択類似度を演算することができる。そして、演算された商品選択類似度を用いて、ユーザに対して、当該ユーザと商品選択類似度が所定の値以上のユーザのユーザ別商品選択テーブルの情報を送信することができる。このことにより、当該ユーザは、個別の商品のページを閲覧する前に、当該ユーザ別商品選択テーブルを参考にしながら、商品購入の意思決定を行うことができる。
【手続補正４】
【補正対象書類名】明細書
【補正対象項目名】００１１
【補正方法】変更
【補正の内容】
【００１１】
（２）  前記商品およびウエイトの選択を受け付けるステップにおいて、前記ユーザによる、前記商品の分類を表す商品分類キーワードデータの入力を受け付け、
前記記憶するステップにおいて、当該商品分類キーワードデータを更に記憶する、（１）に記載の方法。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
（３）  前記ユーザによる、他のユーザに対する自らの前記ユーザ別商品選択テーブルの開示制限データの入力を受け付けるステップを含み、
前記記憶するステップにおいて、当該開示制限データをあわせて記憶し、
前記送信するステップにおいて、当該開示制限データに基づいて送信を制限する、（１）または（２）に記載の方法。
【手続補正８】
【補正対象書類名】明細書
【補正対象項目名】００１６
【補正方法】変更
【補正の内容】
【００１６】
（３）の発明によると、サーバは、他のユーザに対して自らの当該ユーザ別商品選択テーブルの開示を許可したユーザのみに関して、当該ユーザ別商品選択テーブルの開示を行うことができる。このことにより、このような開示を許可しないユーザに対して適切な対応が可能になる。
【手続補正９】
【補正対象書類名】明細書
【補正対象項目名】００１７
【補正方法】変更
【補正の内容】
【００１７】
（４）  前記ユーザによる、選択した商品に関する評価データの入力を受け付けるステップを含み、
前記記憶するステップにおいて、当該評価データをあわせて記憶し、
前記ユーザによる要求に応じて、前記ユーザに対して当該評価データを送信するステップを含む、（１）から（３）のいずれかに記載の方法。
【手続補正１０】
【補正対象書類名】明細書
【補正対象項目名】００１８
【補正方法】変更
【補正の内容】
【００１８】
（４）の発明によると、サーバは、ユーザによる当該商品に関する評価データを合わせて記憶することができる。このことにより、ユーザは、自らと商品選択類似度が所定の値以上の他のユーザによる当該評価データを閲覧することができる。
【手続補正１１】
【補正対象書類名】明細書
【補正対象項目名】００１９
【補正方法】変更
【補正の内容】
【００１９】
（５）  前記ユーザによる要求に応じて、前記ユーザとの商品選択類似度が所定の値以上のユーザの前記ユーザ別商品選択テーブルに基づいて、商品選択ランキングを演算し、前記ユーザに対して送信するステップを含む、（１）から（４）のいずれかに記載の方法。
【手続補正１２】
【補正対象書類名】明細書
【補正対象項目名】００２０
【補正方法】変更
【補正の内容】
【００２０】
（５）の発明によると、サーバは、ユーザと商品選択類似度が所定の値以上の他のユーザの当該商品選択テーブルに基づいたランキング情報を当該ユーザに提供することができる。このことにより、ユーザは、当該商品選択類似度が所定の値以上の他のユーザ一人ひとりの当該商品選択テーブルを閲覧することなく、一回で当該他のユーザの商品選択傾向を知ることができる。
【手続補正１３】
【補正対象書類名】明細書
【補正対象項目名】００２１
【補正方法】変更
【補正の内容】
【００２１】
（６）  前記ユーザによる要求に応じて、前記ユーザが指定したユーザとの商品選択類似度が所定の値以上のユーザの前記ユーザ別商品選択テーブルを、前記ユーザに対して送信するステップを含む、（１）から（４）のいずれかに記載の方法。
【手続補正１４】
【補正対象書類名】明細書
【補正対象項目名】００２２
【補正方法】変更
【補正の内容】
【００２２】
（６）の発明によると、サーバは、ユーザが指定した他のユーザと商品選択類似度が所定の値以上のユーザの当該ユーザ別商品選択テーブルを当該ユーザに提供することができる。このことにより、ユーザは、例えばプレゼントを贈りたい他のユーザと商品選択類似度が所定の値以上のユーザの当該ユーザ別商品選択テーブルを閲覧することができる。
【手続補正１５】
【補正対象書類名】明細書
【補正対象項目名】００２３
【補正方法】変更
【補正の内容】
【００２３】
（７）  前記ユーザによる要求に応じて、前記ユーザが指定したユーザとの商品選択類似度が所定の値以上のユーザの前記ユーザ別商品選択テーブルに基づいて、商品選択ランキングを演算し、前記ユーザに対して送信するステップを含む、（１）から（４）のいずれかに記載の方法。
【手続補正１６】
【補正対象書類名】明細書
【補正対象項目名】００２４
【補正方法】変更
【補正の内容】
【００２４】
（７）の発明によると、サーバは、ユーザが指定した他のユーザと商品選択類似度が所定の値以上の他のユーザの当該商品選択テーブルに基づいたランキング情報を当該ユーザに提供することができる。このことにより、ユーザは、例えばプレゼントを贈りたい他のユーザと商品選択類似度が所定の値以上の他のユーザ一人ひとりの当該商品選択テーブルを閲覧することなく、一回で当該他のユーザの商品選択傾向を知ることができる。
【手続補正１７】
【補正対象書類名】明細書
【補正対象項目名】００２５
【補正方法】変更
【補正の内容】
【００２５】
（８）  通信ネットワークを介して商品販売に関する情報を提供するサーバであって、
ユーザを示すユーザＩＤデータの入力を受け付ける手段と、
前記ユーザによる商品の選択と選択された前記商品に対する前記ユーザの購入可能性を示すウエイトの指定と、を受け付ける手段と、
受け付けた前記商品を示す商品ＩＤデータを、前記ユーザＩＤデータに関連付け、前記商品ＩＤデータのリストと前記ユーザＩＤデータとの組み合わせに前記ウエイトを表すウエイトデータを関連付けて、ユーザ別商品選択テーブルとして記憶する手段と、
前記ユーザ別商品選択テーブルに記憶されたウエイトデータに基づいてユーザ間の商品選択類似度を演算し、商品選択類似度テーブルとして記憶する手段と、
前記商品選択類似度テーブルに基づいて、前記ユーザに対して、前記ユーザとの商品選択類似度が所定の値以上のユーザの前記ユーザ別商品選択テーブルを送信する手段と、を含むサーバ。
【手続補正１８】
【補正対象書類名】明細書
【補正対象項目名】００２６
【補正方法】変更
【補正の内容】
【００２６】
（８）の発明によると、（１）と同様の効果を提供するサーバを実現できる。
【手続補正１９】
【補正対象書類名】明細書
【補正対象項目名】００２７
【補正方法】変更
【補正の内容】
【００２７】
（９）  通信ネットワークを介して商品販売に関する情報の提供をサーバに実行させるプログラムであって、
ユーザを示すユーザＩＤデータの入力を受け付けさせるステップと、
前記ユーザによる商品の選択と選択された前記商品に対する前記ユーザの購入可能性を示すウエイトの指定と、を受け付けさせるステップと、
受け付けた前記商品を示す商品ＩＤデータを、前記ユーザＩＤデータに関連付け、前記商品ＩＤデータのリストと前記ユーザＩＤデータとの組み合わせに前記ウエイトを表すウエイトデータを関連付けて、ユーザ別商品選択テーブルとして記憶させるステップと、
前記ユーザ別商品選択テーブルに記憶されたウエイトデータに基づいてユーザ間の商品選択類似度を演算させて、商品選択類似度テーブルとして記憶させるステップと、
前記商品選択類似度テーブルに基づいて、前記ユーザに対して、前記ユーザとの商品選択類似度が所定の値以上のユーザの前記ユーザ別商品選択テーブルを送信させるステップと、をサーバに実行させるプログラム。
【手続補正２０】
【補正対象書類名】明細書
【補正対象項目名】００２８
【補正方法】変更
【補正の内容】
【００２８】
（９）の発明によると、（１）と同様の効果を提供するプログラムを実現できる。